(57)【特許請求の範囲】
【請求項１】
一対のハンドル（２，３）を交差して開閉可能に軸支し、前記第１ハンドル（２）と第２ハンドル（３）の作動部を成す第１ヘッド（４）の先端面と、第２ヘッド（５）の先端面とが対面可能にすると共に、第１ヘッド（４）と第２ヘッド（５）の内面側にわたって、Ｃ字状を成す鼻環（１１）を保持する保持溝（１５）を具備する取付具本体（１）に、両方のヘッド（４，５）の先端面と対面可能な張出部（９）を作動部に備える補助ハンドル（６）を揺動可能に枢着し、且つ補助ハンドル（６）の張出部（９）には鼻環（１１）の先部を挿通する溝孔（１０）が設けてあり、補助ハンドルと第２ハンドルを閉じたときに、前記第２ヘッド（５）の先端面と補助ハンドルの張出部（９）とが、牛の鼻腔内の肉壁を挟持し、鼻環取付位置を保持することを特徴とする牛の鼻環用取付具。
【発明の詳細な説明】
【０００１】
【発明の属する技術分野】
本発明は家畜牛の鼻に鼻環を取り付ける取付具に関する。
【０００２】
【従来の技術】
肉牛や乳牛に代表される家畜牛においては、牛の識別のため、あるいは牛を繋げる縄や紐等をかけるためのリング状の鼻環が、左右の鼻孔を隔てる肉壁の最も薄くなった部分を貫通して取り付けられており、該鼻環の取付作業に際しては、一般的に、一対のハンドルを開閉可能に軸支して形成し、湾曲した作動部の各ヘッドの内面側に沿って鼻環の保持溝を具備している専用の取付具が用いられていた。
【０００３】
【発明が解決しようとする課題】
しかしながら、鼻環の取付作業は、左右の鼻孔を隔てる肉壁を貫通するものであるから大変繊細で危険な取付作業であり、前記従来の取付具で鼻環を取り付ける場合は、牛の鼻孔内の鼻環取付位置に狙いを定めて直接的に取り付けなければならず、位置決めの際に鼻環の尖った差込部が敏感な鼻孔内の肉壁に触れて牛が暴れ出し、作業が容易に行うことができなかった。また熟練した作業者でも、鼻環を取り付ける間際に牛が動いた場合などは、手元が狂って牛の鼻孔内奥部の軟骨部分を傷付けたり、あるいは前記肉壁の厚くなった部分を貫通することがあり、その傷の深さによっては傷口が化膿したり、あるいは激痛に伴うストレスによって牛が衰弱するといった問題点があった。
【０００４】
本発明の目的とするところは、鼻環を牛の鼻孔内の正確な取付位置に、確実に且つ容易に取り付けることができる牛の鼻環用取付具を提供することにある。
【０００５】
【課題を解決するための手段】
本発明は、一対のハンドルを交差して開閉可能に軸支し、前記第１ハンドルと第２ハンドルの作動部を成す第１ヘッドの先端面と、第２ヘッドの先端面とが対面可能にすると共に、第１ヘッドと第２ヘッドの内面側にわたって、Ｃ字状を成す鼻環を保持する保持溝を具備する取付具本体に、両方のヘッドの先端面と対面可能な張出部を作動部に備える補助ハンドルを揺動可能に枢着し、且つ補助ハンドルの張出部には鼻環の先部を挿通する溝孔が設けてあり、補助ハンドルと第２ハンドルを閉じたときに、前記第２ヘッドの先端面と補助ハンドルの張出部とが、牛の鼻腔内の肉壁を挟持し、鼻環取付位置を保持することを特徴とする。
【０００６】
ここで、張出部を両方のヘッドの先端面と対面可能に備えているとは、第１ハンドルと第２ハンドルを閉じるようにした際に、両ヘッドの先端面が対面することから、張出部が各ヘッドの先端面の対面位置に、補助ハンドルの先端部から張り出した状態で備えられていることを意味する。また溝孔とは、鼻環の先部を挿通すると共に、鼻環を取り付けた後に、鼻環用取付具から取りはずすことを可能とするため溝状に形成したものである。
【０００７】
このように形成すると、補助ハンドルと取付具本体の一方のハンドルを閉じることで、そのハンドルに対応する作動部のヘッドの一方の先端面（鼻環の穴部を備えた側）と、張出部とが牛の鼻孔内の肉壁を挾持して、鼻環取付位置を保持し、さらに、取付具本体のもう一方のハンドルを閉じることで、そのヘッドが鼻環の先部を伴って張出部に向けて回動し、鼻環の差込部が張出部に設けた溝孔を挿通して挾持している鼻環取付位置を貫通し、鼻環の端部同士が連結結合される。このことから、牛の鼻孔内の鼻環取付位置を保持したまま鼻環を取り付けることが可能となり、熟練した作業者でなくても正確な鼻環取付位置に、確実に鼻環を取り付けられるようになる。
【０００８】
【発明の実施の形態】
図１は、本発明による鼻環用取付具を示す斜視図であり、図２（イ）（ロ）（ハ）（ニ）は、本発明による鼻環用取付具の正面図、側面図、平面図、底面図であり、図３は、本発明による鼻環用取付具の使用例を示した平面図である。
【０００９】
まず、図１で示すように、本鼻環用取付具を形成するための取付具本体１は、第１ハンドル２と第２ハンドル３の交差する部分を軸１４により開閉可能に軸支し、軸１４の一方側は、作動部を成す湾曲状の第１ハンドル２に対応する第１ヘッド４の先端面と、同形状を成す第２ハンドル２に対応する第２ヘッド５の先端面とが対面可能に配設してあり、軸１４の他方側には各ヘッド４，５から延在する第１握り部１８と第２握り部１９がそれぞれ設けてある。また、第１ヘッド４と第２ヘッド５の内周の全長に沿って、鼻環１１を保持するための保持溝１５が形成してある。
尚、符号１６は、それぞれのハンドル１，２の開く範囲を制限するためのストッパーである。
【００１０】
また、前記軸１４には、さらに前記した第１ハンドル２及び第２ハンドル３と同じく、ヘッド８を湾曲形状にした補助ハンドル６が揺動可能に枢着されている。補助ハンドル６の作動部である補助ヘッド８の先端には、溝孔１０を具備した張出部９が第１ヘッド４及び前記第２ヘッド５の先端面と対面するように配設されている。さらに、溝孔１０の大きさは、鼻環１１を挿通するために鼻環１１の径よりも僅かに大きく設けられている。また、補助ヘッド８に延在して揺動操作するための握り部１７が設けられている。
【００１１】
また、補助ヘッド８の張出部９は、牛の鼻孔内に直接触れるものであるから、ゴム等の弾力性を有する部材で形成するものでもよく、このように形成すれば、牛に柔らかな感触を与えながら、鼻孔内の鼻環取付位置Ａを保持することができるため、鼻環１１の取付作業がさらにスムーズに行えるようになる。また、第２ヘッド５の先端部においても、鼻環取付位置Ａを保持する際に、補助ヘッド８の張出部９と同様に牛の鼻孔内に触れるため、前記した弾力性を有する部材で形成することが望ましい。
【００１２】
鼻環１１は、取り付けられる前の形状がＣ字状に形成してあり、その一方の先端面は、尖った形状の段部２０付の差込部１２が備えられ、他端面には該差込部１２を嵌入して連結結合するための穴部１３が設けられている。
【００１３】
次に、本発明の鼻環用取付具の使用する場合について説明する。
まず、図３に示すように、第１ヘッド４の先端と、第２ヘッド５の先端から鼻環１１の両端である差込部１２と穴部１３側とを飛び出した状態で保持溝１５に鼻環１１を嵌め込んで保持する。次に、補助ヘッド８の張出部９と第２ヘッド５の先端部を牛の左右の鼻孔内に挿入し、補助ハンドル６の握り部１７と第２ハンドル握り部１９を閉じて、張出部９と鼻環１１の穴部１３側の先端面によって牛の左右の鼻孔を隔てる肉壁を挾持し、鼻環取付位置Ａを保持固定する。次いで、第１ハンドル握り部１８を閉じることで鼻環１１の差込部１２を伴った第１ヘッド４の先端部が、張出部９に向けて回動し、さらに第１ヘッド４を閉じることで、鼻環１１の差込部１２が、張出部９の溝孔１０を挿通して鼻環取付位置Ａを貫通すると共に、鼻環１１の差込部１２と第２ヘッド５に嵌合されている鼻環１１の穴部１３とが段部２０によって連結結合し、牛に鼻環１１が取り付けられることとなる。最後に、牛に取り付けられた鼻環１１から鼻環用取付具をはずして取付作業を完了する。
尚、図１と図３では、第２ヘッド５の先端面から鼻環１１の穴部１３を設けてある側を突出して保持溝１５に嵌入しているが、鼻環１１によって長さに相違があるから、これに限定するものではなく、例えば、穴部１３を備えた側が先端面と面一になるよう嵌入される場合は、張出部９と第２ヘッド５の先端面によって牛の鼻孔内の肉壁を挾持して鼻環取付位置Ａを保持固定してもよい。
【００１４】
【発明の効果】
本発明の鼻環用取付具は、牛の鼻環の取付位置を挾持して保持しながら鼻環を取り付けることができるので、熟練した作業者でなくても正確な取付位置に確実且つ容易に鼻環を取り付けることができる。また、鼻環の取り付けの際に、牛がほとんど痛みを感じることがないので、牛に過度のストレスがかからず衰弱しないから、肉牛や乳牛としての商品価値が下がるという不安が解消できる。
【図面の簡単な説明】
【図１】本発明による鼻環用取付具の斜視図である。
【図２】（イ）（ロ）（ハ）（ニ）本発明による鼻環用取付具の正面図、側面図、平面図、底面図である。
【図３】本発明による鼻環用取付具の使用例を示した平面図である。
【符号の説明】
１  取付具本体
２  第１ハンドル
３  第２ハンドル
４  第１ヘッド
５  第２ヘッド
６  補助ハンドル
９  張出部
１０  溝孔
１１  鼻環
１５  保持溝
【図１】
0004140790.tif 000002
【図２】
0004140790.tif 000003
【図３】
0004140790.tif 000004